(57)【要約】【課題】主に、収納装置の内部で物品が引掛った場合であっても、確実に開閉部材を開くことができるようにする。【解決手段】収納装置本体２と、開閉部材４とが、一側に設けられた開閉中心部を中心として回動可能に軸支された収納装置１に対し、上記収納装置本体２と開口部３との他側に、ロック機構１３が設けられる。  このロック機構１３が、ロック部材１６と、ロック解除ボタン１７と、カム機構１８と、付勢部材１９と、を備える。  上記ロック部材１６が、ロック回動軸部２１を中心として回動可能な回動部材２２とされる。  上記開閉部材４が、その内面側に、ロック解除方向に回動された上記ロック部材１６によって開方向２３へ押出される受圧部５２を有するものとしている。【選択図】図６
2014125002.tif 000002
【特許請求の範囲】
【請求項１】
収納装置本体と、該収納装置本体に設けられた開口部に対し開閉可能に設置された開閉部材とが、一側に設けられた開閉中心部を中心として回動可能に軸支された収納装置に対し、
前記収納装置本体と開口部との他側に、ロックおよびロック解除が可能なロック機構が設けられ、
該ロック機構が、
前記開閉部材に設けられた受部に対して係合および離脱可能な係合面を有するロック部材と、
前記収納装置本体に対して押込可能に設けられたロック解除ボタンと、
該ロック解除ボタンの押込みによって前記ロック部材を前記受部から離脱させるカム機構と、
前記ロック部材を、ロック方向へ向けて常時付勢するための付勢部材と、
を備えたロック部構造において、
前記ロック部材が、ロック回動軸部を中心として回動可能な回動部材とされ、
前記開閉部材と前記ロック部材との間に、前記開閉部材を強制的に開かせるようにするための強制開機構を設けたことを特徴とするロック部構造。
【請求項２】
前記強制開機構が、
前記開閉部材の内面側に形成されて、ロック解除方向に回動された前記ロック部材によって開方向へ押出される受圧部を有することを特徴とする請求項１に記載のロック部構造。
【請求項３】
前記受圧部が、その一側に、前記ロック部材が摺動しつつ押出される押出用摺動面を有すると共に、その他側に、指掛かりとなる指掛部を有することを特徴とする請求項２に記載のロック部構造。
【発明の詳細な説明】
【技術分野】
【０００１】
この発明は、収納装置の内部で物品が引掛った場合であっても、確実に開閉部材を開くことができるようにしたロック部構造に関するものである。
【背景技術】
【０００２】
自動車などの車両には、車室内の各部に、収納装置が設けられる。
【０００３】
このような収納装置には、収納装置本体と、この収納装置本体に設けられた開口部に対し開閉自在に設置された開閉部材とを有して、収納装置本体と開閉部材とが、一側に設けられた開閉中心軸部を中心として回動可能に軸支されたものが存在している。
【０００４】
このような収納装置では、収納装置本体と開閉部材との他側に、ロックおよびロック解除が可能なロック機構が設けられる。
【０００５】
そして、このロック機構は、開閉部材に設けられた受部に対して係合および離脱可能な係合面を有するロック部材と、収納装置本体に対して押込可能に設けられたロック解除ボタンと、ロック解除ボタンの押込みによって前記ロック部材を直線的に移動させて、受部からロック部材を離脱させるカム機構と、ロック部材を、ロック方向へ向けて常時付勢するための付勢部材と、を備えたものなどとされている（例えば、特許文献１参照）。
【先行技術文献】
【特許文献】
【０００６】
【特許文献１】特開平１１−１５９２１５号公報
【発明の概要】
【発明が解決しようとする課題】
【０００７】
しかしながら、上記特許文献１に記載されたロック部構造では、以下のような問題があった。
【０００８】
即ち、特許文献１のものでは、収納装置の内部で物品が引っ掛った場合に、開閉部材を強制的に開かせるようにするための機構を備えていないため、開閉部材が開かなくなってしまうおそれがあった。
【課題を解決するための手段】
【０００９】
上記課題を解決するために、請求項１に記載された発明は、
収納装置本体と、該収納装置本体に設けられた開口部に対し開閉可能に設置された開閉部材とが、一側に設けられた開閉中心部を中心として回動可能に軸支された収納装置に対し、
前記収納装置本体と開口部との他側に、ロックおよびロック解除が可能なロック機構が設けられ、
該ロック機構が、
前記開閉部材に設けられた受部に対して係合および離脱可能な係合面を有するロック部材と、
前記収納装置本体に対して押込可能に設けられたロック解除ボタンと、
該ロック解除ボタンの押込みによって前記ロック部材を前記受部から離脱させるカム機構と、
前記ロック部材を、ロック方向へ向けて常時付勢するための付勢部材と、
を備えたロック部構造において、
前記ロック部材が、ロック回動軸部を中心として回動可能な回動部材とされ、
前記開閉部材と前記ロック部材との間に、前記開閉部材を強制的に開かせるようにするための強制開機構を設けたことを特徴とする。
請求項２に記載された発明は、上記において、
前記強制開機構が、
前記開閉部材の内面側に形成されて、ロック解除方向に回動された前記ロック部材によって開方向へ押出される受圧部を有することを特徴とする。
請求項３に記載された発明は、上記において、
前記受圧部が、その一側に、前記ロック部材が摺動しつつ押出される押出用摺動面を有すると共に、その他側に、指掛かりとなる指掛部を有することを特徴とする。
【発明の効果】
【００１０】
請求項１に記載された発明によれば、以下のような作用効果を得ることができる。即ち、開閉部材と上記ロック部材（回動部材）との間に、上記開閉部材を強制的に開かせるようにするための強制開機構が設けられることにより、収納装置の内部で物品が引っ掛って開閉部材が開かなくなったような場合に、開閉部材とロック部材との間に設けた強制開機構によって開閉部材を強制的に開かせることができる。
請求項２に記載された発明によれば、以下のような作用効果を得ることができる。即ち、ロック解除方向に回動されたロック部材が、開閉部材の内面側に設けた受圧部を開方向へ押出すことにより、ロック部材によって開閉部材を僅かに開かせることができる。これによって、収納装置の内部で物品が引っ掛って開閉部材が開かなくなったような場合であっても、確実に開閉部材をこじ開けることが可能となる。
請求項３に記載された発明によれば、以下のような作用効果を得ることができる。即ち、ロック部材がロック解除方向へ回動することにより、ロック部材（の当部）は、受圧部の一側に設けられた押出用摺動面に摺接しつつ押出用摺動面を外方へ押出すことによって、開閉部材を僅かに開かせることができる。これにより、収納装置の内部で物品が引っ掛って開閉部材が開かなくなったような場合であっても、開閉部材をこじ開けるための僅かな隙間を確保、形成することができる。
そして、収納装置本体と開閉部材との間に僅かな隙間が形成されたら、指掛部に指や細長い工具などを差込んで、強制的に引っ張るなどすることにより、開かなくなった開閉部材をこじ開けることができる。これにより、内部で引っ掛かっている物品を取出すことが可能となる。
【図面の簡単な説明】
【００１１】
【図１】本発明の実施例にかかるロック部構造を備えた収納装置の正面図である。
【図２】図１の側方断面図である。
【図３】図２のロック機構の主要部分を備えた収納装置本体の上部の斜視図である。
【図４】ホルダ部を取外した状態の図３と同様の斜視図である。
【図５】ロック部材およびロック解除ボタンを取外した状態の図３または図４と同様の斜視図である。
【図６】図２のロック機構の部分拡大側方断面図である。
【図７】図６の作動状態を示す図である。
【図８】ロック部材およびロック解除ボタンなどを斜め上方から見た斜視図である。
【図９】ロック部材およびロック解除ボタンなどを斜め下方から見た斜視図である。
【発明を実施するための形態】
【００１２】
以下、本実施の形態、および、それを具体化した実施例を、図面を用いて詳細に説明する。
図１〜図９は、この実施例およびその変形例を示すものである。このうち、 図１と図２とは全体図、図３〜図５は部分拡大斜視図、図６〜図９は詳細図である。
【００１３】
例えば、自動車などの車両における、車室内の各部に、収納装置１を設ける（図１、図２参照）。
【００１４】
この収納装置１は、少なくとも、図２に示すように、収納装置本体２と、この収納装置本体２に設けられた開口部３に対し開閉自在に設置された開閉部材４とを有して、収納装置本体２と開閉部材４とが、一側に設けられた開閉中心軸部５を中心として回動可能に軸支されたものとされる。
【００１５】
ここで、上記の「補足説明」として、まず、方向について説明すると、「手前」側とある場合は操作者に近い側、「奥」側とある場合は操作者から遠い側を指すものとする。収納装置１が車両に搭載されたものである場合、例えば、車両前後方向の後方が手前側となり、車両前後方向の前方が奥側となる。また、車幅方向が、収納装置１の幅方向または左右方向となる。上下方向については、収納装置１と車両とで一致する。
【００１６】
上記した「収納装置１」は、主に、車両用のものを想定しているが、車両用に限るものではない。この場合には、車両のコンソールボックスの後面（リアカバー６）の部分に設置された後席乗員用の小物入れとなっているが、これに限らず、例えば、前席乗員用のグローブボックスや、その他の収納装置１などとすることができる。
【００１７】
上記した「収納装置本体２」は、上記したリアカバー６の奥側に設置される。この収納装置本体２は、側方から見て車両前方へ向かって凹む凹形状を有する箱型のものとされている（図３〜図５参照）。収納装置本体２には、コンソールボックスの本体に取付けるための取付部２ａや上記したリアカバー６を取付けるための取付部などが設けられる。そして、上記したリアカバー６は、収納装置本体２の手前側に取付けられることにより、収納装置本体２の意匠面となる。
【００１８】
上記した「開口部３」は、収納装置本体２の手前側の部分に形成される。なお、上記したリアカバー６には、開口部３と対応する位置に、開口部７が形成される（図２参照）。この場合、開口部３は、開口部７よりも、下側に長く延びるものとされている。また、開口部３および開口部７は、ほぼ上下方向と、ほぼ左右方向とに対して延びる平面視矩形状のものとされている。但し、開口部３および開口部７の形状はこれに限るものではない。
【００１９】
上記した「開閉部材４」は、手前側に意匠面を構成するアウタ部材８と、このアウタ部材８の奥側に一体的に取付けられたインナ部材９とを備えている。アウタ部材８は、リアカバー６の開口部７とほぼ同じかそれよりも若干小さい形状を有して、開口部７に丁度収まるような矩形状のものとされている。インナ部材９には、奥側の部分に収納容器部１１が一体に形成されている。この収納容器部１１は、上面側が開口されている。但し、収納容器部１１は、収納装置本体２の側に設けるようにしても良い。
【００２０】
上記した「一側」は、収納装置本体２および開閉部材４の上側または下側とすることや、或いは、収納装置本体２および開閉部材４の右側または左側などとすることができる。この場合には、後述するように下側とされている。
【００２１】
上記した「開閉中心軸部５」は、左右方向（収納装置本体２の幅方向）へ延びるものとされている。開閉中心軸部５には、特に図示しないが、開速度を調整するための減速機構などを設けるようにしても良い。また、特に明確には図示しないが、開閉中心軸部５は、収納装置本体２と開閉部材４との一方に設けられた軸部と、他方に設けられた軸受部とによって構成される。
【００２２】
そして、このような収納装置１では、収納装置本体２と開閉部材４との他側に、ロックおよびロック解除が可能なロック機構１３が設けられる。
【００２３】
このロック機構１３は、図６（〜図９）に示すように、開閉部材４に設けられた受部１４に対して係合および離脱可能な係合面１５を有するロック部材１６と、収納装置本体２に対して押込可能に設けられたロック解除ボタン１７と、ロック解除ボタン１７の押込みによって上記ロック部材１６を受部１４から離脱させるカム機構１８と、ロック部材１６を、ロック方向へ向けて常時付勢するための付勢部材１９（図８参照）と、を備えたものなどとされている。
【００２４】
ここで、上記の「補足説明」として、上記した「他側」は、上記した一側の反対側、即ち、収納装置本体２および開閉部材４の下側または上側、或いは、収納装置本体２および開閉部材４の左側または右側などとすることができる。この場合には、後述するように上側とされている。
【００２５】
上記した「ロック機構１３」は、文字通り、開閉部材４を収納装置本体２に対してロックおよびロック解除するための機構である。この場合、ロック機構１３は、上記した他側における、左右方向の中心部に設けられている。
【００２６】
上記した「受部１４」は、ロック部材１６の係合面１５（係合部）を受けるものである。受部１４は、上記したインナ部材９（の上縁部）のアウタ部材８側の面に、若干の肉厚変更を伴って設けられている。
【００２７】
上記した「係合面１５」は、ロック部材１６の先端部（手前側端部）における受部１４側の部分（下面側）に設けられている。受部１４と係合面１５とによってロック用係合部が形成される。
【００２８】
上記した「ロック部材１６」は、先端部に上記した係合面１５を有して、開閉部材４の受部１４に直接係止される可動部材である。このロック部材１６は、外部から見えないように、収納装置１の内部（奥側）に収容設置されている。
【００２９】
上記した「ロック解除ボタン１７」は、ロック部材１６を外部から操作するための操作スイッチである。ロック解除ボタン１７は、収納装置本体２の表面（リアカバー６）とほぼ面一な押込面を有するものとされる。
【００３０】
上記した「カム機構１８」は、この場合、ロック解除ボタン１７とロック部材１６とを摺接状態にして、ロック解除ボタン１７の押込動作を、ロック部材１６のロック解除の動きに変換させるようにした案内機構または操作力変換機構のことである。
【００３１】
上記した「ロック方向」は、係合面１５が受部１４と係合する方向である。
【００３２】
上記した「付勢部材１９」は、弾性力によってロック部材１６およびロック解除ボタン１７をロック時の状態に復帰させる部材のことである。付勢部材１９には、バネやゴムなどの弾性部材が使用される。付勢部材１９は、ロック部材１６またはロック解除ボタン１７の少なくとも一方を直接付勢するものとされる。
【実施例１】
【００３３】
＜構成＞以下、構成について説明する。
（構成１）
上記ロック部材１６が、ロック回動軸部２１を中心として回動可能な回動部材２２とされる。
そして、上記開閉部材４と上記ロック部材１６との間に、上記開閉部材４を強制的に開かせるようにするための強制開機構５１が設けられる。
【００３４】
（補足説明１）
ここで、上記した「ロック回動軸部２１」は、ロック部材１６（回動部材２２）の回動中心となる軸部のことである。この場合、ロック回動軸部２１は、左右方向へ延びるものとされている。
【００３５】
上記した「回動部材２２」は、文字通り、回動によって、ロックおよびロック解除を行わせる部材である。この場合、ロック回動軸部２１を中心とする係合面１５の上方への回動がロック解除の動きとなり、ロック回動軸部２１を中心とする係合面１５の下方への回動がロックの動きとなっている。
【００３６】
上記した「強制開機構５１」は、文字通り、開閉部材４を強制的に開かせるようにするための機構である。強制開機構５１の詳細については、後述する。
【００３７】
（構成２）
上記強制開機構５１が、上記開閉部材４の内面側に形成されて、ロック解除方向に回動された上記ロック部材１６によって開方向へ押出される受圧部５２を有するものとされる。
【００３８】
（補足説明２）
ここで、上記した「受圧部５２」は、開閉部材４のアウタ部材８（の上縁部）の内面側に設けられる。この受圧部５２は、ロック解除後に、ロック部材１６の係合面１５とは反対側の部分に形成された当部５３によって押出され得るようになっている。
【００３９】
即ち、受圧部５２とロック部材１６の当部５３とによって、開閉部材４が開かない場合に、開閉部材４を強制的に開かせるようにするための上記強制開機構５１が構成される。
【００４０】
受圧部５２は、ロック解除後、開閉部材４が開かない場合に、ロック部材１６の先端部が当たる位置および高さに形成される。但し、開閉部材４がスムーズに開く場合には、ロック部材１６の当部５３は、受圧部５２に当たらなくても良い。
【００４１】
この受圧部５２は、少なくとも、開閉部材４（のアウタ部材８）の肉厚よりも若干大きい高さ（突出量）を有するものとされる。この受圧部５２は、開閉部材４を強制的に開かせようとする量と同じ高さに設定する。
【００４２】
（構成３）
上記受圧部５２が、その一側に、上記ロック部材１６が摺動しつつ押出される押出用摺動面５４を有すると共に、その他側に、指掛かりとなる指掛部５５を有するものとされる。
【００４３】
（補足説明３）
ここで、上記した「押出用摺動面５４」は、ロック部材１６の回動方向を、開閉部材４の開方向へ変換するための傾斜面などとされる。この場合には、受圧部５２の下部に形成された、上方へ進むに従い奥側へ進む傾斜面などとされる。
【００４４】
上記した「指掛部５５」は、例えば、受圧部５２の上部に形成された、切欠部などとされる。
【００４５】
（構成４）
上記ロック部材１６が、ロック回動軸部２１を中心として回動可能な回動部材２２とされる。
そして、上記ロック部材１６の上記係合面１５と、上記開閉部材４の上記受部１４とが、上記開閉中心軸部５を中心とする上記開閉部材４の閉状態からの開方向２３に対して面直に形成される。
【００４６】
（補足説明４）
ここで、上記した「ロック回動軸部２１」は、ロック部材１６（回動部材２２）の回動中心となる軸部のことである。この場合、ロック回動軸部２１は、左右方向へ延びるものとされている。
【００４７】
上記した「回動部材２２」は、文字通り、回動によって、ロックおよびロック解除を行わせるための部材（回動ロック部材）である。この場合、ロック回動軸部２１を中心とする係合面１５の上方への回動がロック解除の動きとなり、ロック回動軸部２１を中心とする係合面１５の下方への回動がロックの動きとなっている。
【００４８】
上記した「閉状態からの開方向２３」は、文字通り、開閉部材４が閉じた状態から開き始める時の方向である。閉状態からの開方向２３は、より具体的には、上記した開閉中心軸部５を中心として、開閉部材４の他側の縁部（上端縁）を通る円の、閉状態の位置における接線方向である。
【００４９】
上記した「面直」は、上記接線方向（開方向２３）と直交する面の方向である。但し、面直は、９０度の角度のみに限らず、これに近似した角度を含むものとする。
【００５０】
（構成５）
上記開閉部材４が縦面とされる（図１、図２参照）。
そして、この開閉部材４が、下側に位置する上記開閉中心軸部５を中心として下方回動されると共に、上側が上記ロック機構１３によってロックされ、
また、上記開閉中心軸部５が、上記収納装置本体２の奥側の位置に設置されることによって、上記開閉部材４の閉状態からの開方向２３が、手前側下向きとされる。
更に、上記ロック解除ボタン１７の押込方向２４（図６参照）が、奥側下向きとされる。
【００５１】
（補足説明５）
ここで、上記した「縦面」は、ほぼ上下方向および左右方向へ延びる面のことである。但し、上下方向は、完全な鉛直方向に限るものではなく、常識的に縦面と見做せるような傾斜角度を有するものを広く含むことができる。また、縦面は、平面に限らず、近似的に平面と見做せるような面、例えば、緩やかな円弧面や球面やその他の自由曲面などを含むことができる。
【００５２】
上記した「押込方向２４」は、ロック解除のためにロック解除ボタン１７を押込む方向のことである。一般的には、押込方向２４は、収納装置本体２の表面（リアカバー６の面）と垂直な方向となるが、この場合には、垂直ではなく、乗員が操作し易いように下向きの方向とされている。
【００５３】
（構成６）
上記ロック機構１３は、上記収納装置本体２に対して取付可能なホルダ部２５（図５参照）を有する。
そして、このホルダ部２５が、上記ロック回動軸部２１を軸支可能とされる。
また、図６に示すように、上記ロック部材１６の、上記ロック回動軸部２１によって軸支されている部分よりも手前側の位置に、上記カム機構１８を構成するカムフォロワ２６が設けられる。
そして、上記ロック解除ボタン１７は、その奥側に、上記押込方向２４へ延びるカムプレート２７を有する。
このカムプレート２７に対し、上記カムフォロワ２６を案内して上記ロック部材１６をロック解除方向へ向けて回動させるカム面２８が形成される。
更に、図８に示すように、上記付勢部材１９が、上記収納装置本体２または上記ホルダ部２５と上記ロック部材１６との間に介装される。
【００５４】
（補足説明６）
ここで、上記した「ホルダ部２５」は、収納装置本体２に取付け易くするために、ロック部材１６やロック解除ボタン１７などをアセンブリするための保持部材である。
【００５５】
ホルダ部２５（図５、図６、図９など参照）は、上面部と、左右の両側面部と、手前面部と、奥側面部とを有して、下面側が開口された、ほぼ箱状を呈している。
【００５６】
そして、ホルダ部２５は、収納装置本体２の上面部分に設けられた、ホルダ取付座部３１に締結などによって固定される（図５など参照）。
【００５７】
そのために、ホルダ部２５とホルダ取付座部３１とには、それぞれ、手前側から奥側へ向けて締結部材を取付可能な締結固定部２５ａ，３１ａが設けられている。
【００５８】
また、ホルダ部２５の下面側には、収納装置本体２の上面の手前側縁部に係止するための係止部２５ｂが設けられている。
【００５９】
そして、上記したホルダ取付座部３１には、ロック解除ボタン１７の奥側の面（のほぼ中心部）から押込方向２４へ向けて一体に突設されたガイドロッド３２（図８参照）や、上記したカムプレート２７を案内し、或いは、これらを押込限の位置で停止させるためのガイド部３３，３４が設けられている（図５参照）。
【００６０】
また、ホルダ部２５には、奥側面部に、カムプレート２７やロック部材１６を挿通するための図示しないスリット部が形成される。
【００６１】
更に、上記したホルダ部２５には、その奥側に、ロック回動軸部２１を軸支するための軸受部３５が設けられる。
【００６２】
また、ホルダ部２５の表面側には、ロック解除ボタン１７の外周をリアカバー６表面と面一に取囲む化粧枠部２９が設けられる（図１、図２、図６、参照）。
【００６３】
上記した「カムフォロワ２６」は、この場合、左右方向へ延びる円柱状または楕円柱状のものなどとされている（図６、図８参照）。但し、カムフォロワ２６の形状はこれに限るものではない。
【００６４】
上記した「カムプレート２７」は、ロック解除ボタン１７の両側部から平行に一対設けられている。これに対し、上記したカムフォロワ２６も左右一対設けられている。
【００６５】
カムプレート２７の奥側の端部には、ホルダ部２５の両側面部の奥側端部に係止されることにより、ロック解除ボタン１７表面の押込面が、収納装置本体２の表面とほぼ面一な位置よりも手前側へ突出しないように位置規定可能な位置規定用爪部２７ａが形成されている（図８、図９参照）。
【００６６】
上記した「カム面２８」は、この場合、カムプレート２７の上側の縁部を切欠くようにして形成されている。このカム面２８は、奥側へ進むに従い、下方へ向かう傾斜面を有している。そして、上記したカムフォロワ２６は、カム面２８の上側に接触配置されている。
【００６７】
上記した「付勢部材１９」は、この場合、上記したロック回動軸部２１に対して、コイル部３６（巻線部）を外嵌されたトーションスプリングなどとされている。このトーションスプリングのコイル部３６から延びる一端部３７は、収納装置本体２（またはホルダ部２５）に係止されている。また、トーションスプリングのコイル部３６から延びる他端部３８は、ロック部材１６の奥端部側に設けられたスプリング係止部３９に係止されている。この場合、トーションスプリングは、左右一対設けられると共に、一端部どうしが連結されている。
【００６８】
（構成７）
図６に示すように、上記ロック部材１６は、その奥側に、上記押込方向２４へ延びて上記ロック回動軸部２１が設置される軸支部４１を有している。
上記ロック部材１６は、その手前側に、上記受部１４へ向けて延びると共に先端部に上記係合面１５が形成されたロック用アーム部４２を有する、側面視山型形状とされている。
この側面視山型形状の上記ロック部材１６の、上記軸支部４１と上記ロック用アーム部４２との屈曲部分４３に上記カムフォロワ２６が設けられる。
【００６９】
（補足説明７）
ここで、上記した「押込方向２４へ延び」は、押込方向２４と一致する方向および押込方向２４に近似した方向を含むものとする。この場合には、軸支部４１は、押込方向２４に対して若干上方へ傾いた方向へ向けて延びている。
【００７０】
上記した「軸支部４１」は、文字通り、ロック回動軸部２１を支持する部分である。但し、軸支部４１は、ロック回動軸部２１を一体に備えたものであっても、別体のロック回動軸部２１を取付可能なものであっても良い。
【００７１】
この場合、軸支部４１は、左右一対設けられている。左右の軸支部４１は、上記した左右のカムプレート２７の内側に位置している。
【００７２】
上記した「受部１４へ向けて延び」は、受部１４と若干ズレる方向を含むものとする。また、直線的に延びるものに限らず、若干屈曲した状態で延びるものなども含むものとする。
【００７３】
上記した「ロック用アーム部４２」は、左右の軸支部４１の間となる位置に対して１本のみ設けられている。
【００７４】
上記した「側面視山型形状」は、側方から見て、軸支部４１とロック用アーム部４２とが一直線状ではなく、屈曲形状をしているということである。側面視山型形状は、三角形状や、日本語の「へ」字状や、これらに近似した形状などとすることができる。
【００７５】
上記した「屈曲部分４３」は、左右一対の軸支部４１と１本のロック用アーム部４２とが分岐合流する部分のことであり、この屈曲部分４３には、左右方向へ延びる連結部が設けられている。
屈曲部分４３における、左右の軸支部４１から続く部分の外面側には、それぞれ、上記したカムフォロワ２６が左右方向へ向けて一体的に突設されている。
【００７６】
（構成８）
上記ロック解除ボタン１７と、上記カムフォロワ２６と、上記ロック回動軸部２１とが、上記押込方向２４に沿って直列に配置される。
【００７７】
（補足説明８）
ここで、上記した「直列」は、完全に直線状に並ぶこと、および、ほぼ直線的に並ぶことの両方をも含むものとされる。この場合には、不完全な直線状の配列とされている。即ち、カムフォロワ２６とロック回動軸部２１とは、その中心が、ロック解除ボタン１７の上下方向の中心よりも若干上側（係合面１５とは反対の側）に偏らせた状態で設置されている。
【００７８】
＜作用＞この実施例は、以下のように作用する。
操作者が、縦面である開閉部材４の上側に設けられたロック解除ボタン１７を奥側下向きに押込むと、ロック機構１３によるロックが解除されて、開閉部材４が、自重などにより、奥側の位置に設置された開閉中心軸部５を中心として、手前側下向きに回動し、開閉部材４が開くことになる。
【００７９】
反対に、開閉部材４を、開閉中心軸部５を中心として手前側上向きに回動し、開口部３へ押し込むことによってロック機構１３によるロックが行われる。
【００８０】
＜効果＞この実施例によれば、以下のような作用効果を得ることができる。
（作用効果１）
上記開閉部材４と上記ロック部材１６（回動部材２２）との間に、上記開閉部材４を強制的に開かせるようにするための強制開機構５１が設けられることにより、収納装置１の内部で物品Ｓが引っ掛って開閉部材４が開かなくなったような場合に、開閉部材４とロック部材１６との間に設けた強制開機構５１によって開閉部材４を強制的に開かせることができる。
【００８１】
（作用効果２）
ロック解除方向に回動されたロック部材１６が、開閉部材４の内面側に設けた受圧部５２を開方向２３へ押出すことにより、ロック部材１６によって開閉部材４を僅かに開かせることができる。
【００８２】
これによって、収納装置１の内部で物品Ｓが引っ掛って開閉部材４が開かなくなったような場合であっても、確実に開閉部材４をこじ開けることが可能となる。
【００８３】
（作用効果３）
上記受圧部５２が、その一側に、上記ロック部材１６が摺動しつつ押出される押出用摺動面５４を有すると共に、その他側に、指掛かりとなる指掛部５５を有するものとされることにより、以下のような作用効果を得ることができる。
即ち、ロック部材１６がロック解除方向へ回動することにより、ロック部材１６（の当部５３）は、受圧部５２の一側に設けられた押出用摺動面５４に摺接しつつ押出用摺動面５４を外方へ押出すことによって、開閉部材４を僅かに開かせることができる。これにより、収納装置１に対して、内部の物品Ｓが引っ掛って開閉部材４が開かなくなったような場合であっても、開閉部材４をこじ開けるための僅かな隙間を確保、形成することができる。
【００８４】
そして、収納装置本体２と開閉部材４との間に僅かな隙間が形成されたら、指掛部５５に指や細長い工具などを差込んで、強制的に引っ張るなどすることにより、開かなくなった開閉部材４をこじ開けることができる。これにより、内部で引っかかっている物品Ｓを取出すことが可能となる。
【００８５】
（作用効果４）
ロック部材１６を回動部材２２としたことにより、開閉部材４の開閉中心軸部５の位置および閉状態からの開方向２３や、ロック解除ボタン１７の位置および押込方向２４などのレイアウトに影響されることなく、開閉部材４の閉状態からの開方向２３と、受部１４および係合面１５の向きとを面直に設定することが可能となり、受部１４と係合面１５との向きが面直にならないことによる実質的な係合力の低下や係合量の目減りをなくすことができるので、受部１４と係合面１５とのすり抜けを防止しつつ確実にロックすることが可能となる。
【００８６】
また、ロック部材１６を回動部材２２とすることにより、ロック部材１６を直線的に移動させてロックおよびロック解除を行わせる場合と比べて、ロック部材１６の可動スペースを小さくすることができるので、その分、ロック機構１３を小型化することが可能となる。
【００８７】
更に、ロック部材１６を回動部材２２としたことにより、回動部材２２のアーム比（即ち、ロック回動軸部２１からカム機構１８（後述するカムフォロワ２６）までの長さと、カム機構１８から係合面１５までの長さとの比）を調整することで、係合面１５の移動量を大きくしつつ、ロック解除ボタン１７の押込量を小さくすることが可能となる。或いは、ロック解除ボタン１７の押込量を小さくしつつ、受部１４と係合面１５との係合量を大きく確保することが可能となる。更に、ロック解除ボタン１７の押込量を小さくして、操作感を向上すると共に、作動音を小さくすることも可能となる。
【００８８】
（作用効果５）
上記したような、上記開閉部材４が縦面とされ（図１、図２参照）、この開閉部材４が、下側に位置する上記開閉中心軸部５を中心として下方回動されると共に、上側が上記ロック機構１３によってロックされ、上記開閉中心軸部５が、上記収納装置本体２の奥側の位置に設置されることによって、上記開閉部材４の閉状態からの開方向２３が、手前側下向きとされ、上記ロック解除ボタン１７の押込方向２４（図６参照）が、奥側下向きとされるという、収納装置１の構造は、
ロック部材１６を直線的に移動させてロックおよびロック解除させる場合には、ロック部材１６の係合面１５と開閉部材４の受部１４とを、開閉中心軸部５を中心とする開閉部材４の閉状態からの開方向２３に対して面直に形成することが困難（ほぼ不可能）なものであるが、
このような場合であっても、ロック部材１６を回動部材２２とすることにより、ロック部材１６の係合面１５と、開閉部材４の受部１４とを、開閉中心軸部５を中心とする開閉部材４の閉状態からの開方向２３に対して面直に形成することが可能となる。
【００８９】
（作用効果６）
上記ロック機構１３は、上記収納装置本体２に対して取付可能なホルダ部２５（図５参照）を有し、このホルダ部２５が、上記ロック回動軸部２１を軸支可能とされ、図６に示すように、上記ロック部材１６の、上記ロック回動軸部２１によって軸支されている部分よりも手前側の位置に、上記カム機構１８を構成するカムフォロワ２６が設けられ、上記ロック解除ボタン１７は、その奥側に、上記押込方向２４へ延びるカムプレート２７を有し、カムプレート２７に対し、上記カムフォロワ２６を案内して上記ロック部材１６をロック解除方向へ向けて回動させるカム面２８が形成され、図８に示すように、上記付勢部材１９が、上記収納装置本体２または上記ホルダ部２５と上記ロック部材１６との間に介装されることにより、上記したロック機構１３の実施可能な具体的構造を提供することができる。
【００９０】
このようなロック機構１３では、収納装置本体２に対して取付けられたホルダ部２５（の軸受部３５）に、ロック回動軸部２１を介してロック部材１６が回動自在に軸支される。
【００９１】
そして、ロック部材１６のロック回動軸部２１によって軸支されている部分よりも手前側の位置に、上記カム機構１８を構成するカムフォロワ２６が設けられており、ロック解除ボタン１７を押すと、ロック解除ボタン１７の奥側に設けられた押込方向２４へ延びるカムプレート２７のカム面２８によってカムフォロワ２６が案内され、付勢部材１９の付勢力に抗して、ロック部材１６がロック解除方向へ向けて回動され、ロックが解除されることになる。
【００９２】
収納装置本体２またはホルダ部２５とロック部材１６との間には、付勢部材１９が介装されているので、ロック解除ボタン１７から手を離すと、付勢部材１９の付勢力によって、ロック部材１６がロック方向へ向けて復帰され、ロックが可能な状態となる。
【００９３】
（作用効果７）
ロック部材１６を、軸支部４１とロック用アーム部４２とを有する側面視山型形状にすることにより、受部１４および係合面１５の向きを、開閉部材４の閉状態からの開方向２３と面直に設定するのに都合の良い形状にすることが可能となると共に、受部１４および係合面１５の向きを自在に設定することが可能となる。
【００９４】
このような形状とすることにより、開閉部材４の開閉中心軸部５の位置および閉状態からの開方向２３や、ロック解除ボタン１７の位置および押込方向２４などのレイアウトの影響による構造的な制限を少なくすることができる。また、軸支部４１とロック用アーム部４２との屈曲部分４３にカムフォロワ２６を設けたことにより、ロック部材１６をより合理的な形状として、設計を容易化することができる。
【００９５】
（作用効果８）
ロック解除ボタン１７と、カムフォロワ２６と、ロック回動軸部２１とが、押込方向２４に沿って直列に配置されたことにより、ロック部材１６の設置スペースや可動スペースを最も小さくすることができるようになるので、その分、ロック機構１３を小型化することが可能となる。
【００９６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９７】
１    収納装置
２    収納装置本体
３    開口部
４    開閉部材
５    開閉中心軸部
１３  ロック機構
１４  受部
１５  係合面
１６  ロック部材
１７  ロック解除ボタン
１８  カム機構
１９  付勢部材
２１  ロック回動軸部
２２  回動部材
２３  開方向
２４  押込方向
２５  ホルダ部
２６  カムフォロワ
２７  カムプレート
２８  カム面
４１  軸支部
４２  ロック用アーム部
４３  屈曲部分
５１  強制開機構
５２  受圧部
５４  押出用摺動面
５５  指掛部
【図１】
2014125002.tif 000003
【図２】
2014125002.tif 000004
【図３】
2014125002.tif 000005
【図４】
2014125002.tif 000006
【図５】
2014125002.tif 000007
【図６】
2014125002.tif 000008
【図７】
2014125002.tif 000009
【図８】
2014125002.tif 000010
【図９】
2014125002.tif 000011